(57)【要約】【課題】従来の放送受信装置は、第１の放送で送信される時報と第２の放送で送信される時報が正しいか否かを判定する技術ではなかった。【解決手段】この発明の放送受信装置は、複数の放送を受信する放送受信手段と、受信された複数の放送から第１の放送を選局して第１の放送を出力する手段と、第１の放送から第１の時報を検出する手段と、第１の放送から第２の放送へ切替えて選局して第２の放送を出力する手段と、第２の放送から第２の時報を検出する手段と、第１の時報検出手段で検出された第１の時報と第２の時報検出手段で検出された第２の時報のタイミングを比較し、このタイミングが予め定められた所定の範囲内である場合は第１の放送で送信される時報と第２の放送で送信される時報は共に正しいと判定する手段とを備えるように構成している。【選択図】  図１
2005020042.tif 000002
【特許請求の範囲】
【請求項１】
放送を受信する放送受信装置において、
複数の放送局からそれぞれ送信される複数の放送を受信する放送受信手段と、
前記放送受信手段で受信された複数の放送から第１の放送を選局して第１の放送を出力する選局手段と、
前記選局手段から出力された第１の放送から第１の時報を検出する第１の時報検出手段と、
前記選局された第１の放送から第２の放送へ切替えて選局して第２の放送を出力する切替え選局手段と、
前記切替え選局手段から出力された第２の放送から第２の時報を検出する第２の時報検出手段と、
前記第１の時報検出手段で検出された第１の時報と前記第２の時報検出手段で検出された第２の時報のタイミングを比較し、このタイミングが予め定められた所定の範囲内である場合は第１の放送で送信される時報と第２の放送で送信される時報は共に正しいと判定する時報判定手段とを備えることを特徴とする放送受信装置。
【請求項２】
放送を受信する放送受信装置において、
複数の放送局からそれぞれ送信される複数の放送を受信する放送受信手段と、
前記放送受信手段で受信された複数の放送から第１の放送を選局して第１の放送を出力する選局手段と、
前記選局手段から出力された第１の放送から副時報を検出する副時報検出手段と、
前記選局された第１の放送から第２の放送へ切替えて選局して第２の放送を出力する切替え選局手段と、
前記切替え選局手段から出力された第２の放送から主時報を検出する主時報検出手段と、
前記検出された副時報と主時報のタイミングを比較し、このタイミングが予め定められた所定の範囲内である場合は第１の放送で送信される時報と第２の放送で送信される時報は共に正しいと判定する時報判定手段とを備えることを特徴とする放送受信装置。
【請求項３】
放送を受信する放送受信装置において、
複数の放送局からそれぞれ送信される複数の放送を受信する第１の放送受信手段と、
複数の放送局からそれぞれ送信される複数の放送を受信する第２の放送受信手段と、
前記第１の放送受信手段で受信された複数の放送から第１の放送を選局して出力する第１の選局手段と、
前記第２の放送受信手段で受信された複数の放送から第２の放送を選局して出力する第２の選局手段と、
前記第１の選局手段から出力される第１の放送と前記第２の選局手段から出力される第２の放送を受信し、第１の放送出力から切替えて第２の放送を出力する切替え出力手段と、
前記切替え出力手段から出力された第１の放送から副時報を検出する副時報検出手段と、
前記切替え出力手段から出力された第２の放送から主時報を検出する主時報検出手段と、
前記検出された副時報と主時報のタイミングを比較し、このタイミングが予め定められた所定の範囲内である場合は第１の放送で送信される時報と第２の放送で送信される時報は共に正しいと判定する時報判定手段とを備えることを特徴とする放送受信装置。
【請求項４】
放送を受信する放送受信装置において、
複数の放送局からそれぞれ送信される複数の放送を受信する放送受信手段と、
前記放送受信手段で受信された複数の放送から第１の放送を選局して第１の放送を出力する第１の選局手段と、
前記選局手段から出力された第１の放送から第１の時報を検出する第１の時報検出手段と、
前記放送受信手段で受信された複数の放送から第２の放送を選局して第２の放送を出力する第２の選局手段と、
前記選局手段から出力された第２の放送から第２の時報を検出する第２の時報検出手段と、
前記第１の時報検出手段で検出された第１の時報と前記第２の時報検出手段で検出された第２の時報のＡＮＤを演算して時報のタイミングを比較し、このタイミングが予め定められた所定の範囲内である場合は第１の放送で送信される時報と第２の放送で送信される時報は共に正しいと判定する時報判定手段と、
前記第１の時報検出手段で検出された第１の時報と前記第２の時報検出手段で検出された第２の時報のＸＯＲを演算して放送で送信されるコンテンツを比較し、このコンテンツが同一であると判定される場合は第２の選局手段で選局される放送を第２の放送から第３の放送へ切替えて選局し、第３の放送から第３の時報を検出し、第１の時報と第３の時報のタイミングを比較し、このタイミングが予め定められた所定の範囲内である場合は第１の放送で送信される時報と第３の放送で送信される時報は共に正しいと判定する時報判定手段とを備えることを特徴とする放送受信装置。
【請求項５】
前記放送受信装置は時刻を計時する計時手段と、前記時報判定手段で正しいと判定された時報に基づいて前記計時手段で計時される時刻を更新する時刻更新手段とをさらに備え備えることを特徴とする請求項１乃至４に記載の放送受信装置。
【請求項６】
前記第１の放送からの時報検出において、前記第１の放送の受信は前記計時手段で計時される時刻に基づいて、検出しようとする時刻よりも予め定められた時間前に受信を開始することを特徴とする請求項５に記載の放送受信装置
【請求項７】
複数の放送局からそれぞれ送信される複数の放送を受信するステップと、
受信された複数の放送から第１の放送を選局して第１の放送を出力するステップと、
第１の放送から第１の時報を検出するステップと、
第１の放送から第２の放送へ切替えて選局して第２の放送を出力するステップと、
第２の放送から第２の時報を検出するステップと、
検出された第１の時報と第２の時報のタイミングを比較し、このタイミングが予め定められた所定の範囲内である場合は第１の放送で送信される時報と第２の放送で送信される時報は共に正しいと判定するステップとを備えることを特徴とする放送受信放送。
【請求項８】
複数の放送局からそれぞれ送信される複数の放送を受信するステップと、
受信された複数の放送から第１の放送を選局して第１の放送を出力するステップと、
第１の放送から副時報を検出するステップと、
第１の放送から第２の放送へ切替えて選局して第２の放送を出力するステップと、
第２の放送から主時報を検出するステップと、
副時報と主時報のタイミングを比較し、このタイミングが予め定められた所定の範囲内である場合は第１の放送で送信される時報と第２の放送で送信される時報は共に正しいと判定するステップとを備えることを特徴とする放送受信放送。
【請求項９】
複数の放送局からそれぞれ送信される複数の放送を受信するステップと、
複数の放送局からそれぞれ送信される複数の放送を受信するステップと、
受信された複数の放送から第１の放送を選局して出力するステップと、
受信された複数の放送から第２の放送を選局して出力するステップと、
前記第１の放送と前記第２の放送を受信し、第１の放送から切替えて第２の放送を出力するステップと、
前記第１の放送から副時報を検出するステップと、
前記第２の放送から主時報を検出するステップと、
前記副時報と前記主時報のタイミングを比較し、このタイミングが予め定められた所定の範囲内である場合は第１の放送で送信される時報と第２の放送で送信される時報は共に正しいと判定するステップとを備えることを特徴とする放送受信放送。
【請求項１０】
複数の放送局からそれぞれ送信される複数の放送を受信するステップと、
受信された複数の放送から第１の放送を選局して第１の放送を出力するステップと、
前記第１の放送から第１の時報を検出するステップと、
受信された複数の放送から第２の放送を選局して第２の放送を出力するステップと、
第２の放送から第２の時報を検出するステップと、
第１の時報と第２の時報のＡＮＤを演算して時報のタイミングを比較し、このタイミングが予め定められた所定の範囲内である場合は第１の放送で送信される時報と第２の放送で送信される時報は共に正しいと判定するステップと、
第１の時報と第２の時報のＸＯＲを演算して放送で送信されるコンテンツを比較し、このコンテンツが同一であると判定される場合は第２の選局手段で選局される放送を第２の放送から第３の放送へ切替えて選局し、第３の放送から第３の時報を検出し、第１の時報と第３の時報のタイミングを比較し、このタイミングが予め定められた所定の範囲内である場合は第１の放送で送信される時報と第３の放送で送信される時報は共に正しいと判定するステップとを備えることを特徴とする放送受信放送。
【発明の詳細な説明】
【０００１】
【発明の属する技術分野】
この発明はＴＶ放送やラジオ放送を受信する放送受信装置に係り、特に計時手段を備える放送受信装置に関する。
【０００２】
【従来の技術】
従来の計時手段を備える放送受信装置は、時刻検出認識部により認識した地上波系の時刻音声とトランスポンダーで取得した衛星放送系の時刻情報の誤差を記憶し、この誤差に基づき地上波系の内部時計を較正している。（例えば特許文献１）。
【０００３】
【特許文献１】
特開２０００−１３１４７１公報（第４−６頁、図１、図３）
【０００４】
【発明が解決しようとする課題】
上記特許文献１の技術は複数の放送局から送信される時報を比較し、第１の放送で送信される時報と第２の放送で送信される時報が正しいか否かを判定する放送受信装置を提供する技術ではなかった。
【０００５】
【課題を解決するための手段】
この発明に係る放送受信装置は、複数の放送局からそれぞれ送信される複数の放送を受信する放送受信手段と、前記放送受信手段で受信された複数の放送から第１の放送を選局して第１の放送を出力する選局手段と、前記選局手段から出力された第１の放送から第１の時報を検出する第１の時報検出手段と、
前記選局された第１の放送から第２の放送へ切替えて選局して第２の放送を出力する切替え選局手段と、前記切替え選局手段から出力された第２の放送から第２の時報を検出する第２の時報検出手段と、前記第１の時報検出手段で検出された第１の時報と前記第２の時報検出手段で検出された第２の時報のタイミングを比較し、このタイミングが予め定められた所定の範囲内である場合は第１の放送で送信される時報と第２の放送で送信される時報は共に正しいと判定する時報判定手段とを備えるように構成している。
【０００６】
また、この発明に係る放送受信方法は、複数の放送局からそれぞれ送信される複数の放送を受信するステップと、受信された複数の放送から第１の放送を選局して第１の放送を出力するステップと、第１の放送から第１の時報を検出するステップと、第１の放送から第２の放送へ切替えて選局して第２の放送を出力するステップと、第２の放送から第２の時報を検出するステップと、検出された第１の時報と第２の時報のタイミングを比較し、このタイミングが予め定められた所定の範囲内である場合は第１の放送で送信される時報と第２の放送で送信される時報は共に正しいと判定するステップとを備えるように構成している。
【０００７】
【発明の実施の形態】
以下、図面を参照してこの発明の実施の形態を説明する。
【０００８】
図１はこの発明の実施の形態にかかる放送受信装置を説明するブロック図である。
【０００９】
符号１は時報が含まれる放送を受信するアンテナ（放送受信手段）、符号１１は受信された放送を選局するチューナ（選局手段）、符号１２は選局された放送の音声から時報に係る特定周波数を検出する特定周波数検出用ＩＣ、符号２１は特定周波数検出用ＩＣで検出された特定周波数から時報を検出する時報検出部（時報検出手段）、符号２２は検出された時報に基づいて時刻を更新する指示を行う時刻更新部である。符号２５は放送受信装置に設けられ、時刻を計時する時計（計時手段）である。符号２３はチューナ１１における放送の選局を切替える選局部（切替え選局手段）、符号２４は時報検出手段で検出された時報のタイミングを比較し、判定するタイマ（時報判定手段）である。符号２６はマイコンの処理を実行させるプログラムが保管されている記憶部である。符号２０は時報検出部２１、時刻更新部２２、時計２５、選局部２３、タイマ２４、記憶部２６を含むマイコン（マイクロコンピュータ）である。符号１０は放送受信装置である。
【００１０】
複数の放送局からそれぞれ送信される複数の放送が放送アンテナ１で受信され、チューナ１１へ向けて送信される。チューナ１１ではアンテナ１から送信された複数の放送の中から放送局の選択（選局）を行い、第１の放送を受信し、出力する。
【００１１】
チューナ１１から出力された第１の放送の音声信号が取出され、特定周波数検出用ＩＣ１２へ送信される。特定周波数検出用ＩＣ１２では後述する特定周波数を検出して検出信号を出力する。特定周波数検出用ＩＣ１２から出力された検出信号は時報検出部（時報検出システム）２１で受信され特定周波数に対応する時報が検出され、出力される。
【００１２】
選局部２３はチューナ１１における放送の選局を切替え、第２の放送を受信し出力する。
【００１３】
上記と同様に、チューナ１１から出力された第２の放送の音声信号が取出され、特定周波数検出用ＩＣ１２へ送信される。特定周波数検出用ＩＣ１２では特定周波数を検出して検出信号を出力する。特定周波数検出用ＩＣ１２から出力された検出信号は時報検出部（時報検出システム）２１で受信され特定周波数に対応する時報が検出され、出力される。
【００１４】
タイマ２４は、時報検出部２１から出力される第１の放送に係る第１の時報と第２の放送に係る第２の時報のタイミング（ずれ）を比較する。このとき、タイミング（ずれ）の許容範囲を例えば０．０１秒以内等と予め決めておく。このタイミング（ずれ）が予め定められた所定の範囲（許容範囲）内である場合は第１の放送で送信される時報と第２の放送で送信される時報は共に正しいと判定する。ここで正しいと判定された時報情報（すなわち時刻情報）は時刻更新部２２へ送信される。時刻更新部２２は正しいと判定された時報情報に基づいて時計２５の計時時刻を更新する。
【００１５】
また、このタイミング（ずれ）が予め定められた所定の範囲（許容範囲）を超える値である場合は、第１の放送で送信される時報と第２の放送で送信される時報の少なくとも一方は正しくないと判定する。このときは、上記第１の時報と第２の時報の両者とも計時のための時刻合わせには使用せず、次の時報が検出されるまで時刻の更新は保留する。
【００１６】
図２はこの発明の実施の形態に係る放送受信装置における時報検出の原理を説明する図である。
【００１７】
ここでは現実に行われているテレビ放送（放送局Ａ）と、ＦＭラジオ放送（放送局Ｂ）を例にとって説明する。
【００１８】
放送局Ａと放送局Ｂの両放送局は図２に示す時報（時報波形）を正午に、放送している。
【００１９】
符号（ａ）は４４０Ｈｚの副時報であり、人間の耳には例えばピッ・ピッ・ピッという音として１秒間隔で３つ聞こえる。ここでのピッ・ピッ・ピッという音は午前１１時５９分５７秒、５８秒、５９秒を示している。
【００２０】
符号（ｂ）は８８０Ｈｚの主時報であり、人間の耳には例えばポーンという音として１つ聞こえる。ここでのポーンという音は午後０時すなわち正午を示している。
【００２１】
この発明の実施の形態においては、例えばこの放送局Ａと放送局Ｂからそれぞれ放送される副時報と主時報が用いられる。
【００２２】
図３はこの発明の実施の形態に係る放送受信装置における時報検出の構成を説明する図である。
【００２３】
上記のようにマイコン２０からチューナ１１に対して放送局切替えのための制御信号が送信される。ここでは例えば、副時報の受信には放送局Ａが用いられ、主時報の受信には放送局Ｂが用いられる。そして、まず放送局Ａが受信され副時報が受信された後に切替え選局が行われ、放送局Ｂが受信され主時報が受信される。
【００２４】
放送局Ａを受信することによって受信された副時報（周波数成分４４０Ｈｚの検出信号）を含む放送は時報検出回路２１で受信され、副時報が検出される。
【００２５】
また、放送局Ｂを受信することによって受信された主時報（周波数成分８８０Ｈｚの検出信号）を含む放送は時報検出回路２１で受信され、主時報が検出される。時報検出回路２１で検出された主時報と副時報はマイコン２０で受信される。
【００２６】
マイコン２０では、上記のように第１の時報（副時報）と第２の時報（主時報）のタイミング（ずれ）を比較する。このタイミング（ずれ）が予め定められた所定の範囲（許容範囲）内である場合は第１の放送で送信される時報と第２の放送で送信される時報は共に正しいと判定する。
【００２７】
図４はこの発明の実施の形態に係る放送受信装置における時報検出の構成をさらに具体的に説明する図である。
【００２８】
副時報（ａ）は取得しようとする時報よりも所定時間前に放送局Ａが選局され、放送局Ａ検出信号によって、上記のように午前１１時５９分５７秒、５８秒、５９秒近傍の時報波形が検出される。また、主時報（ｂ）は予め放送局Ａから放送局Ｂへの切替え選局がされ、午後０時すなわち正午近傍の時報波形が検出される。このとき上記所定時間は例えば午前１１時５９分００秒等が設定される。
【００２９】
図６はこの発明の実施の形態に係る放送受信装置の動作を説明するフローチャートである。ここでの処理は主にマイコン２０で制御される。
【００３０】
符号１０１はここでの開始ステップである。続いて符合１０２を付したステップへ進む。
【００３１】
ステップ１０２は時報が取得できる時刻近傍であるか（上記例では正午近傍であるか）を判断するステップである。時報が取得できる時刻近傍であると判定される場合は符号１０３を付したステップへ進む（Ｙｅｓ）。時報が取得できる時刻近傍ではないと判定される場合は符号１０１を付したステップへ戻る（Ｎｏ）。
【００３２】
ステップ１０３は放送局Ａを選局するステップである。続いて符合１０４を付したステップへ進む。
【００３３】
ステップ１０４は副時報の検出は可能（ＯＫ）か、を判定するステップである。副時報の検出が可能（ＯＫ）であると判定される場合は符号１０５を付したステップへ進む（Ｙｅｓ）。副時報の検出が可能（ＯＫ）ではないと判定される場合は符号１０９を付したステップへ進む（Ｎｏ）。
【００３４】
ステップ１０５は放送局Ｂを選局するステップである。続いて符合１０６を付したステップへ進む。
【００３５】
ステップ１０６は主時報の検出は可能（ＯＫ）か、を判定するステップである。主時報の検出が可能（ＯＫ）であると判定される場合は符号１０７を付したステップへ進む（Ｙｅｓ）。主時報の検出が可能（ＯＫ）ではないと判定される場合は符号１０９を付したステップへ進む（Ｎｏ）。
【００３６】
ステップ１０７は時報検出が複数回数検出されたかを判定するステップである。時報検出が複数回数検出された場合は符号１０８を付したステップへ進む（Ｙｅｓ）。時報検出が複数回数検出されなかった場合は符号１１０を付したステップへ進む（Ｎｏ）。尚、この発明においては時報検出の回数は１度でも可能であるため、ステップ１０７は必要に応じて省略してもよい。
【００３７】
ステップ１０８は共に正しいと判定された第１の時報と第２の時報に基づいて時計２５の時刻を修正するステップである。続いて符合１１０を付したステップへ進む。
【００３８】
ステップ１０９は予め処理時間の上限を決めておき、処理時間がこの上限をオーバー（タイムオーバー）したか否かを判定するステップである。処理時間がタイムオーバーしたと判定された場合は符号１１０を付したステップへ進む（Ｙｅｓ）。処理時間がタイムオーバーしていないと判定された場合は符号１２２を付したステップへ進む（Ｎｏ）。
【００３９】
ステップ１１０は終了ステップであり、ここでの処理は終了する。
【００４０】
図５はこの発明の、他の実施の形態に係る放送受信装置における時報検出の構成を説明する図である。
【００４１】
ここでは放送受信を行う放送局の切替えをより頻繁に行っている。すなわち、マイコン２０からチューナ１１に対して放送局切替えのための制御信号が送信され、１秒毎に、放送局Ａと放送局Ｂの受信が交互に切替えられる。具体的には、午前１１時５９分５７秒には放送局Ａが受信され、放送局Ａの放送から副時報が取得されマイコン２０へ送信される。次に放送の受信が放送局Ａから放送局Ｂに切替えられ、午前１１時５９分５８秒には放送局Ｂが受信され、放送局Ｂの放送から副時報が取得されマイコン２０へ送信される。次に放送の受信が放送局Ｂから放送局Ａに切替えられ、午前１１時５９分５９秒には放送局Ａが受信され、放送局Ａの放送から副時報が取得されマイコン２０へ送信される。次に放送の受信が放送局Ａから放送局Ｂに切替えられ、午前１１時５９分５９秒には放送局Ｂが受信され、放送局Ｂの放送から主時報が取得されマイコン２０へ送信される。
【００４２】
マイコン２０は、放送局Ａの放送から取得された２つの副時報と放送局Ｂの放送から取得された１つの副時報と１つの主時報のタイミング（ずれ）を比較する。この例では、放送局Ａの放送から取得された２つの副時報を第１の時報とし、放送局Ｂの放送から取得された１つの副時報と１つの主時報を第２の時報とする。
【００４３】
そして、第１の時報と第２の時報のタイミング（ずれ）が予め定められた所定の範囲（許容範囲）内である場合は、第１の放送で送信される時報と第２の放送で送信される時報は共に正しいと判定する。この時報を用いて時計２１の計時が修正される。このように構成することによって放送で送信される時報の検出精度はさらによくなる。
【００４４】
尚、上記時報検出を行う回数を１度ではなく複数回、例えば定期的に行うことで、時報２５の検出精度を向上させることができる。また、上記説明では時報を取得するために２つの放送局を使用した例を用いて説明を行ったが、３つ、４つと時報を取得するために使用する放送局を増やすことにより、時報検出精度はさらに向上する。
【００４５】
このように複数の放送局を切替えながら時報を検出するので、時報の検出精度を向上させることができる。
【００４６】
次にこの発明の、チューナを複数用いた他の実施の形態を説明する。
【００４７】
図７はこの発明の、チューナを複数用いた放送受信装置を説明する図である。
【００４８】
第１のチューナ１１Ａ、第２のチューナ１１Ｂの出力はそれぞれ切替えスイッチ３０に接続されている。マイコン２０からスイッチ３０に対して放送局切替えのための制御信号が送信される。ここでも例えば、副時報の受信には放送局Ａが用いられ、主時報の受信には放送局Ｂが用いられる。そして、まず放送局Ａが受信され副時報が受信された後に切替え選局が行われ、放送局Ｂが受信され主時報が受信される。
【００４９】
放送局Ａを受信することによって受信された副時報（周波数成分４４０Ｈｚの検出信号）を含む放送は時報検出回路２１で受信され、副時報が検出される。
【００５０】
また、放送局Ｂを受信することによって受信された主時報（周波数成分８８０Ｈｚの検出信号）を含む放送は時報検出回路２１で受信され、主時報が検出される。時報検出回路２１で検出された主時報と副時報はマイコン２０で受信される。
【００５１】
マイコン２０では、上記のように第１の時報（副時報）と第２の時報（主時報）のタイミング（ずれ）を比較する。このタイミング（ずれ）が予め定められた所定の範囲（許容範囲）内である場合は第１の放送で送信される時報と第２の放送で送信される時報は共に正しいと判定する。
【００５２】
また、上記のように放送局Ａと放送局Ｂの切替えを１秒毎に交互に切替えてもよい。
【００５３】
このように、複数のチューナを用いて放送局の切替えを行うことによって、放送受信の応答時間がそれほど早くないチューナ（例えばチューナの放送局切替え応答時間が１秒を超えるようなもの）を使用した場合においても、チューナの応答時間によらず、放送で送信される時報の検出精度を向上させることができる。
【００５４】
図８はこの発明の、チューナを複数用いた放送受信装置を説明する図である。
【００５５】
ここでは、例えば時報を得ようとする特定の時刻（正午の近傍）にチューナ１１Ａを用いて放送局Ａを受信する。また同時に、チューナ１１Ｂを用いて放送局Ｂを受信する。
【００５６】
第１のチューナ１１Ａの出力は時報検出回路２１Ａに接続され、放送局Ａから検出された時報情報が出力される。また、第２のチューナ１１Ｂの出力は時報検出回路２１Ｂに接続され、放送局Ｂから検出された時報情報が出力される。
【００５７】
時報検出回路２１Ａから出力された時刻情報および、時報検出回路２１Ｂから出力された時刻情報は、それぞれＡＮＤ回路３１へ入力される。ＡＮＤ回路３１ではＡＮＤ演算処理が行われマイコン２０へ出力される。マイコン２０では時報のタイミングを比較し、このタイミングが予め定められた所定の範囲内である場合は第１の放送で送信される時報と第２の放送で送信される時報は共に正しいと判定する。
【００５８】
また、時報検出回路２１Ａから出力された時刻情報および、時報検出回路２１Ｂから出力された時刻情報は、それぞれＸＯＲ回路３２へ入力される。ＸＯＲ回路３２では、第１の時報検出手段で検出された第１の時報と第２の時報検出手段で検出された第２の時報のＸＯＲを演算してマイコン２０へ出力する。マイコン２０はこれらの放送のコンテンツを比較し、これらのコンテンツが同一であるか否かを判定する。これらのコンテンツが同一であると判定された場合はチューナ１１Ｂの選局を切替えて、選局される放送を第２の放送から第３の放送へ切替えて選局し、第３の放送から時報検出回路２１を用いて第３の時報を検出し、ＡＮＤ回路３１の演算結果を用いてマイコン２０が第１の時報と第３の時報のタイミングを比較し、このタイミングが予め定められた所定の範囲内である場合は第１の放送で送信される時報と第３の放送で送信される時報は共に正しいと判定する。
【００５９】
このように構成することで、複数チューナから出力される音声信号に基づいて、チューナ１１Ａで受信される放送とチューナ１１Ｂで受信される放送の放送内容（コンテンツ）の同一性を検出することができる。これにより、同一放送から取得する時報により時報の誤検出を防止することができる。
【００６０】
【発明の効果】
上記説明したように、この発明の実施の形態によれば、複数の放送局から送信される時報を比較して正確さを判定するので、正確な時刻を取得することができる。
【００６１】
また、この発明の実施の形態によれば、放送受信装置における時報の誤検出を防止することができる。
【図面の簡単な説明】
【図１】この発明の実施の形態にかかる放送受信装置を説明するブロック図。
【図２】この発明の実施の形態に係る放送受信装置における時報検出の原理を説明する図。
【図３】この発明の実施の形態に係る放送受信装置における時報検出の構成を説明する図。
【図４】この発明の実施の形態に係る放送受信装置における時報検出の構成をさらに具体的に説明する図。
【図５】この発明の、他の実施の形態に係る放送受信装置における時報検出の構成を説明する図。
【図６】この発明の実施の形態に係る放送受信装置の動作を説明するフローチャート。
【図７】この発明の、チューナを複数用いた放送受信装置を説明する図。
【図８】この発明の、チューナを複数用いた放送受信装置を説明する図。
【符号の説明】
１  …  アンテナ（放送受信手段）
１０  …  放送受信装置
１１  …  チューナ（選局手段）、
１２  …  特定周波数検出用ＩＣ、
２０  …  マイコン（マイクロコンピュータ）
２１  …  時報検出部（時報検出手段）、
２２  …  時刻更新部
２３  …  選局部（切替え選局手段）
２４  …  タイマ（時報判定手段）
２５  …  時計（計時手段）
２６  …  記憶部
【図１】
2005020042.tif 000003
【図２】
2005020042.tif 000004
【図３】
2005020042.tif 000005
【図４】
2005020042.tif 000006
【図５】
2005020042.tif 000007
【図６】
2005020042.tif 000008
【図７】
2005020042.tif 000009
【図８】
2005020042.tif 000010